(57)【要約】【課題】  拡大地図を見たいときには拡大地図が自動的に画面に表示されるようにスケールを拡大し、縮小地図を見たいときには縮小地図が自動的に画面に表示されるようにスケールを縮小することができる地図表示装置を提供する。【解決手段】  本発明の地図表示装置は、所定位置から対象物までの距離を検出する距離検出手段１３、１４と、距離検出手段１３、１４により検出された対象物２４から所定位置までの距離に応じて画面に表示される地図のスケールを変更するスケール変更手段１５とを備えている。【選択図】  図４
2006072194.tif 000002
【特許請求の範囲】
【請求項１】
所定位置から対象物までの距離を検出する距離検出手段と、該距離検出手段により検出された前記対象物から前記所定位置までの距離に応じて前記画面に表示される地図のスケールを変更するスケール変更手段とを備えていることを特徴とする地図表示装置。
【請求項２】
前記スケール変更手段が所定スケールの地図が所定時間継続して表示されているか否かを判定する判定手段と、該判定手段により所定スケールの地図が所定時間継続して表示されていると判定されたときにその所定スケールの地図が固定して表示されるように所定スケールを固定するスケール固定手段とを備えていることを特徴とする請求項１に記載の地図表示装置。
【請求項３】
前記スケール変更手段が前記距離検出手段による距離検出の消失直前の所定スケールに基づく地図が前記画面に表示されるように当該所定スケールを固定するスケール固定手段を備えていることを特徴とする請求項１に記載の地図表示装置。
【請求項４】
前記スケール固定手段は、前記スケールの固定後所定時間を経過したことが検出された場合、スケールの固定を解除して元のスケールに戻すことを特徴とする請求項２又は請求項３に記載の地図表示装置。
【発明の詳細な説明】
【技術分野】
【０００１】
本発明は、ナビゲーションシステム等に用いるのに好適な地図表示装置に関するものである。
【背景技術】
【０００２】
従来から、ナビゲーションシステムの地図表示装置には、図１に示す表示装置１の画面２に地図６を表示させて、広域ボタン３、詳細ボタン４からなるズームボタン（ズームキー）５を操作して、画面２に表示されている地図６のスケールを拡大、縮小させる構成のものが知られている。図２はその地図６の表示の一例を示すもので、（ａ）は広域地図を表示している状態を示し、（ｂ）は詳細地図を表示している状態を示す。
【０００３】
また、画面に表示された遠景画像をプレーヤが画面に近づくと自動的に拡大して近景画像に切り替え、画面から遠ざかると自動的に縮小させて近景画像から遠景画像に切り替えるゲームシステムも知られている（例えば、特許文献１参照。）。
【特許文献１】特開２００１−６２１５０号公報
【発明の開示】
【発明が解決しようとする課題】
【０００４】
ところで、従来の地図表示装置では、場所の詳細を確認するためには、詳細ボタン４を操作して画面２に表示されている地図６のスケールを拡大しなければならず、その一方、大体の場所を確認するためには、地図６のスケールを縮小しなければならず、地図６の拡大、縮小を行うのにズームボタン（ズームキー）５を操作しなければならないため不便である。
【０００５】
また、自動車のナビゲーションシステムに用いられる地図表示装置では、地図６の拡大、縮小を行うのに表示装置１の画面２を見ながら行わなければならないため、運転の際中にこれを行うとすると、画面２に神経がそそがれるため、運転面の観点からは好ましくはない。
【０００６】
本発明は、上記の事情に鑑みて為されたもので、拡大地図（詳細地図）を見たいときには拡大地図が自動的に画面に表示されるようにスケールを拡大し、縮小地図（広域地図）を見たいときには縮小地図が自動的に画面に表示されるようにスケールを縮小することができる地図表示装置を提供することを目的とする。
【課題を解決するための手段】
【０００７】
本発明の請求項１に記載の地図表示装置は、所定位置から対象物までの距離を検出する距離検出手段と、該距離検出手段により検出された前記対象物から前記所定位置までの距離に応じて画面に表示される地図のスケールを変更するスケール変更手段とを備えていることを特徴とする。
【０００８】
本発明の請求項２に記載の地図表示装置は、前記スケール変更手段が所定スケールの地図が所定時間継続して表示されているか否かを判定する判定手段と、該判定手段により所定スケールの地図が所定時間継続して表示されていると判定されたときにその所定スケールの地図が固定して表示されるように所定スケールを固定するスケール固定手段とを備えていることを特徴とする。
【０００９】
本発明の請求項３に記載の地図表示装置は、前記スケール変更手段が前記距離検出手段による距離検出の消失直前の所定スケールに基づく地図が前記画面に表示されるように当該所定スケールを固定するスケール固定手段を備えていることを特徴とする。
【発明の効果】
【００１０】
本発明は、地図上の場所を詳細に見たいときには身体を画面に無意識に近づけ、地図上の場所の大体を把握するときには身体を画面から無意識のうちに遠ざけるという人間の習性に鑑み、所定位置から対象物までの距離を検出し、対象物から所定位置までの距離に応じて画面に表示される地図のスケールを変更するようにしたから、拡大地図を見たいときには拡大地図が自動的に画面に表示されるようにスケールを拡大し、縮小地図を見たいときには縮小地図が自動的に画面に表示されるようにスケールを縮小することができるという効果を奏する。
【００１１】
また、ズームボタン又はズームキーを表示装置に設けなくとも地図のスケールを切り替えることができるので、その分、地図表示装置のコストの削減を図ることができる。
【発明を実施するための最良の形態】
【００１２】
以下に、本発明に係わる地図表示装置の発明の実施の形態を図面を参照しつつ説明する。
【実施例】
【００１３】
図３は本発明に係わるナビゲーションシステムの地図表示装置の一例を示す図である。その図３において、１０は地図表示装置、１１はその地図表示装置の画面、１２は筐体である。
【００１４】
筐体１２の正面パネルには、ナビゲーションシステムに用いられる各種の操作ボタン又は操作キーが設けられていると共に、距離検出手段としての赤外線ＬＥＤ１３と赤外線検出センサ１４とが設けられている。
【００１５】
ここでは、この赤外線ＬＥＤ１３は画面１１の右上に１個、赤外線検出センサ１４は画面１１の左下に１個とされているが、赤外線ＬＥＤ１３を画面左上にもう１個、赤外線検出センサ１４を画面右下にもう１個設けて、左右対称に距離検出手段を設ける構成とすることもできる。
【００１６】
その地図表示装置１０は、図４に示すようにマイクロコンピュータ１５を有する。このマイクロコンピュータ１５は、距離検出手段に関係するコントロールポートとして、赤外線ＬＥＤ１３の駆動用のコントロールポート１６、赤外光有無検出用のコントロールポート１７、赤外光の強度検出用のＡ／Ｄ変換用のコントロールポート１８、後述する機能を有するスケールコントロールユニット１９を制御するためのコントロールポート２０の他、ナビゲーションシステムに要求される処理を行うための各種のポートを有する。
【００１７】
コントロールポート１６はスイッチングトランジスタ２１に接続され、赤外線ＬＥＤ１３はそのスイッチングトランジスタ２１のオンオフによって発光・消灯制御が行われる。スケールコントロールユニット１９は画面１１に表示される地図のスケール（縮尺）を制御する役割を果たし、そのスケールコントロールユニット１９からそのスケール制御信号が図示を略す画像処理回路に向かって出力される。
【００１８】
赤外線検出センサ１４は増幅器２２を介してコントロールポート１７に接続され、増幅器２３を介してコントロールポート１８に接続されている。
【００１９】
マイクロコンピュータ１５は、ここでは、検出された赤外光の強度に応じて画面１１から人体２４までの距離を判断する判断手段と、この判断手段の判断結果に基づいて画面１１に表示される地図のスケールを変更するスケール変更手段とをソフトウエアとして有する。ここでは、判断手段は、三段階、例えば、約４０ｃｍから約６０ｃｍ（近距離）、約６０ｃｍから約８０ｃｍ（中距離（近距離に含めたものを除く））、約８０ｃｍから約１００ｃｍ（遠距離（中距離に含めたものを除く））に区分して距離を判断するようにしているが、これに限られるものではなく、例えば、四段階に区分して画面１１から人体２４までの距離を判断するようにしても良い。
【００２０】
マイクロコンピュータ１５は、その近距離、中距離、遠距離の検出結果を得た時点から計時を開始する。マイクロコンピュータ１５は、その計時開始時点から例えば２秒以下であるときには、この検出を無効と判断する。人体２４の動きには揺れ等があり、判断手段により瞬間的に画面１１から人体２４までの距離が近距離、中距離、遠距離のいずれかであるとの演算結果が得られたとしても、地図の拡大、縮小を意図するものであるとは必ずしもいえないからである。
【００２１】
また、マイクロコンピュータ１５は、判断手段が近距離、中距離、遠距離の検出を有効と判断し、その距離に応じた地図が画面１１に表示されてからの時間を計時し、その距離に応じた地図が所定時間継続して画面１１に表示されているか否かを判定する判定手段と、この判定手段の判定結果に基づいて所定スケールの地図を画面１１に表示させるスケール固定手段とをソフトウエアとして有する。
【００２２】
例えば、その距離に応じた所定スケールの地図が画面１１に表示されてから５秒以上継続して表示されているか否かを判断し、マイクロコンピュータ１５は、その距離に応じた所定スケールの地図が画面１１に表示されてから５秒以上継続して表示されている場合には、所定時間その所定スケールの地図を画面１１に継続して表示させる。この継続表示時間は、画面１１に表示されている所定スケールの地図を見て確認に要する時間として十分な時間、例えば、２分程度に設定する。
【００２３】
次に、この発明の実施例の作用を説明する。
【００２４】
まず、ナビゲーションシステムの図示を略すパワースイッチをオンすると、マイクロコンピュータ１５が作動し、コントロールポート１６からスイッチングトランジスタ２１に向かって駆動信号が出力され、これにより赤外線ＬＥＤ１３がオンされる。これにより、図５に示すように、所定角度範囲θに渡って赤外光Ｐが照射される。
【００２５】
その赤外光Ｐは人体２４、例えば、その人体２４の頭部により反射され、その反射光Ｐ’が赤外線検出センサ１４に受光される。その赤外線検出センサ１４の検出出力はコントロールポート１７、１８に入力される。
【００２６】
マイクロコンピュータ１５はそのコントロールポート１７に入力された検出出力に基づいて赤外光Ｐの反射光Ｐ’の有無を検出し、これによりノイズの有無が判断される。また、マイクロコンピュータ１５はそのコントロールポート１８に入力された検出出力に基づき、赤外光Ｐの検出出力の強度を判定する。マイクロコンピュータ１５は、ここでは、その検出出力の強度が第１所定閾値よりも小さいときには遠距離であると判定し、その検出出力の強度が第２所定閾値よりも大きいときには近距離であると判定し、検出出力の強度が第１所定閾値以上で第２所定閾値以下のときには中距離であると判断する。マイクロコンピュータ１５は、２秒以上継続して同一の判断結果が得られたときには、この判断結果を有効とみなして、その判断結果に基づきスケール変更指令信号をコントロールポート２０からスケールコントロールユニット１９に向かって出力する。
【００２７】
スケールコントロールユニット１９は、そのスケール変更指令信号に基づき画像処理回路に向かってスケール制御信号を出力し、これにより、画面１１に画面から対象物までの距離に応じた所定スケールの地図が自動的に表示される。
【００２８】
例えば、画面１１から人体２４までの距離が近距離の場合には、画面１１に拡大地図（詳細地図）が表示され、画面１１から人体２４までの距離が遠距離の場合には、画面１１に縮小地図（広域地図）が表示され、画面１１から人体２４までの距離が中距離の場合には、縮小地図と拡大地図との間のスケールの地図が表示される。
【００２９】
マイクロコンピュータ１５は、近距離、中距離、遠距離の検出を有効と判断してからの時間を計時し、その時間が５秒以上継続したときに、コントロールポート２０からスケールコントロールユニット１９に向かってスケール固定信号を出力する。
【００３０】
ついで、マイクロコンピュータ１５は、スケール固定信号を出力してからの時間を計時し、ここでは、２分間以上経過したか否かを判断する。これにより、画面１１に表示されている地図が同一スケールに固定されて表示される。従って、スケール変更後、画面１１に表示されている地図が一定時間の間保持されるので、画面１１に表示されている地図を見て確認に要する時間が確保される。
【００３１】
マイクロコンピュータ１５は、スケール固定信号を出力してからの時間が２分間以上経過したときには、コントロールポート２０からスケールコントロールユニット１９に向かってスケール固定解除信号を出力する。
【００３２】
これにより、スケールが変更される前に表示されていた元のスケールの地図が再び画面１１に表示される。例えば、縮小地図が画面１１に表示されている状態のときに近距離が検出され、画面１１に近距離に応じた拡大地図が表示されて、この拡大地図が画面１１に表示されてから２分間を経過すると、縮小地図が画面１１に再び表示される状態となる。
【００３３】
以上、実施例では、マイクロコンピュータ１５は、近距離、中距離、遠距離の検出を有効と判断してからの時間を計時し、その時間が５秒以上継続したときに、コントロールポート２０からスケールコントロールユニット１９に向かってスケール固定信号を出力する構成を採用した例について説明したが、図６（ａ）に示すように、手の接近を検出してから２秒以上が経過して、その距離に応じた地図が画面１１に表示されている状態で、画面１１から手までの距離をほぼ一定に保ちながら手を図６（ｂ）に示すように移動させることにより検出信号が消失した場合に、マイクロコンピュータ１５がその検出信号の消失に基づきコントロールポート２０からスケールコントロールユニット１９に向かってスケール固定信号を出力する構成を採用し、距離検出手段による距離検出の消失直前のスケールの地図が画面１１に固定表示されるようにしても良い。
【００３４】
このように距離検出手段による距離検出の消失に基づきスケールの変更を行うことにすると、所定時間が経過してもスケール固定解除信号が出力されないので、距離に応じた所定スケールの地図を継続して表示させることができる。例えば、拡大地図（詳細地図）が画面１１に表示されている状態で、図６（ａ）に示す状態から図６（ｂ）に示すように手を移動させることにより検出信号が消失したときには、拡大地図（詳細地図）が画面１１に経過時間にかかわらずその拡大地図が所定時間の間継続表示され、この拡大地図が表示されてから所定時間経過後に、マイクロコンピュータ１５は、拡大前の元のスケールの地図が表示されるようにスケール固定解除信号を出力する。
【００３５】
以上、発明の実施の形態では、距離検出手段として赤外線ＬＥＤ１３と赤外線検出センサ１４とを用いる構成としたが、距離検出手段として超音波発信装置と超音波センサとを用いても良い。
【００３６】
また、距離検出手段としての赤外線ＬＥＤ１３と赤外線検出センサ１４とを筐体１２の正面パネルに設ける構成としたが、距離検出手段を筐体１２から離れた別の場所に設けても良い。
【図面の簡単な説明】
【００３７】
【図１】従来の地図表示装置の正面図である。
【図２】図１に示す地図表示装置の表示の一例を示す図であって、（ａ）は広域地図が画面に表示されている状態を示し、（ｂ）は詳細地図が画面に表示されている状態を示す図である。
【図３】本発明の地図表示装置の正面図である。
【図４】本発明の地図表示装置の回路構成の一例を示すブロック図である。
【図５】本発明の地図表示装置の赤外光の照射角度範囲の説明図である。
【図６】本発明の地図表示装置の変形例を説明するための説明図であって、（ａ）は赤外光の照射角度範囲に手が存在している状態を示し、（ｂ）は赤外光の照射角度範囲から手が離脱した状態を示している。
【符号の説明】
【００３８】
１３…赤外線ＬＥＤ（距離検出手段）
１４…赤外線検出センサ（距離検出手段）
１５…マイクロコンピュータ（スケール変更手段）
２４…人体（対象物）
【図１】
2006072194.tif 000003
【図２】
2006072194.tif 000004
【図３】
2006072194.tif 000005
【図４】
2006072194.tif 000006
【図５】
2006072194.tif 000007
【図６】
2006072194.tif 000008